(57)【要約】【課題】ノズルを有する吐出ヘッドを用いて積層造形法で造形を行う場合に、不良ノズルの影響を適切に抑える。【解決手段】造形物を造形する造形装置であって、複数のノズルを有する吐出ヘッドと、主走査動作を吐出ヘッドに行わせる走査駆動部と、制御部とを備え、吐出ヘッドにおける全てのノズルが正常ノズルである場合、制御部は、それぞれのノズルにより形成されるライン３０４のライン密度が予め設定された正常時密度になるように設定して、吐出ヘッドに主走査動作を行わせ、基準の範囲よりも吐出量が少ない不良ノズルが吐出ヘッドにおける複数のノズルの中に存在する場合、制御部は、少なくとも一部の回の主走査動作において、当該不良ノズル以外のいずれかのノズルにより形成されるライン３０４のライン密度が正常時密度よりも大きくなるように設定して、吐出ヘッドに主走査動作を行わせる。【選択図】図４
2018187902.tif 000002
【特許請求の範囲】
【請求項１】
積層造形法で立体的な造形物を造形する造形装置であって、
造形に用いる材料である造形材料をそれぞれ吐出する複数のノズルを有する吐出ヘッドと、
造形中の前記造形物に対して相対的に予め設定された主走査方向へ移動しつつ前記ノズルから前記造形材料を吐出する主走査動作を前記吐出ヘッドに行わせる走査駆動部と、
前記吐出ヘッド及び前記走査駆動部の動作を制御する制御部と
を備え、
前記吐出ヘッドは、前記主走査方向と直交する副走査方向の位置をずらして並ぶ複数の前記ノズルを有し、
一回の前記主走査動作において一つの前記ノズルから吐出する前記造形材料により形成されるドットの並びをラインと定義し、一つの前記ラインにおいて単位長さあたりに含まれる前記造形材料の量をライン密度と定義し、
一回の吐出動作において１個の前記ノズルから吐出する前記造形材料の量である吐出量が予め設定された基準の範囲内にあるノズルを正常ノズルと定義し、前記正常ノズル以外のノズルを不良ノズルと定義した場合において、
前記吐出ヘッドにおける全ての前記ノズルが前記正常ノズルである場合、前記制御部は、それぞれの前記ノズルにより形成される前記ラインの前記ライン密度が予め設定された正常時密度になるように設定して、前記吐出ヘッドに前記主走査動作を行わせ、
前記基準の範囲よりも前記吐出量が少ない前記不良ノズルが前記吐出ヘッドにおける前記複数のノズルの中に存在する場合、前記制御部は、少なくとも一部の回の前記主走査動作において、当該不良ノズル以外のいずれかの前記ノズルにより形成される前記ラインの前記ライン密度が前記正常時密度よりも大きくなるように設定して、前記吐出ヘッドに前記主走査動作を行わせることを特徴とする造形装置。
【請求項２】
前記吐出量が少ない前記不良ノズルが存在する場合、前記制御部は、前記副走査方向において当該不良ノズルと隣接する前記ノズルにより形成される前記ラインの前記ライン密度について、前記正常時密度よりも大きくなるように設定することを特徴とする請求項１に記載の造形装置。
【請求項３】
前記吐出量が少ない前記不良ノズルが存在する場合、前記制御部は、前記副走査方向において当該不良ノズルとの間に１個の前記ノズルを挟む位置にある前記ノズルにより形成される前記ラインの前記ライン密度について、前記正常時密度よりも大きくなるように設定することを特徴とする請求項１又は２に記載の造形装置。
【請求項４】
積層造形法において積層するそれぞれの層の形成時において、前記層の各位置に対して複数回の前記主走査動作を行うマルチパス方式の動作により、前記層を形成し、
前記吐出ヘッドにおける前記ノズルの前記副走査方向における間隔は、前記副走査方向における造形の解像度の整数倍であり、
一つの前記層の中で前記副走査方向において隣接する前記ラインは、異なる回の前記主走査動作により形成され、
前記吐出量が少ない前記不良ノズルが存在する場合、前記制御部は、当該不良ノズルに対応する前記ラインと前記副走査方向において隣接する前記ラインが形成される前記主走査動作時において、当該隣接するラインのライン密度について、前記正常時密度よりも大きくなるように設定することを特徴とする請求項１から３のいずれかに記載の造形装置。
【請求項５】
前記吐出量が少ない前記不良ノズルが存在する場合、前記制御部は、当該不良ノズルにより形成される前記ラインと、１個以上のいずれかの前記正常ノズルにより形成される前記ラインとを含む複数の前記ラインにおける平均の前記ライン密度が予め設定される範囲内になるように、前記いずれかの正常ノズルにより形成される前記ラインの前記ライン密度について、前記正常時密度よりも大きくなるように設定することを特徴とする請求項１から４のいずれかに記載の造形装置。
【請求項６】
前記吐出ヘッドにおける全ての前記ノズルが前記正常ノズルである場合、前記吐出ヘッドにおけるそれぞれの前記ノズルは、予め設定された最大の吐出量である正常時最大吐出量以下の吐出量で前記造形材料を吐出し、
前記吐出量が少ない前記不良ノズルが存在する場合、少なくとも前記主走査動作時のいずれかのタイミングにおいて、前記制御部は、対応する前記ライン密度を前記正常時密度よりも大きくする前記ノズルに、正常時最大吐出量よりも大きな吐出量で前記造形材料を吐出させることを特徴とする請求項１から５のいずれかに記載の造形装置。
【請求項７】
前記吐出ヘッドにおける全ての前記ノズルが前記正常ノズルである場合、前記制御部は、前記吐出ヘッドにおけるそれぞれの前記ノズルに、予め設定された複数種類の前記吐出量から選択される前記吐出量で、前記造形材料を吐出させ、
前記吐出量が少ない前記不良ノズルが存在する場合、少なくとも前記主走査動作時のいずれかのタイミングにおいて、前記制御部は、対応する前記ライン密度を前記正常時密度よりも大きくする前記ノズルに、前記複数種類の前記吐出量のうちの最大の前記吐出量よりも大きな吐出量で前記造形材料を吐出させることを特徴とする請求項６に記載の造形装置。
【請求項８】
前記造形材料の層を平坦化する平坦化ローラを更に備えることを特徴とする請求項１から７のいずれかに記載の造形装置。
【請求項９】
１種類の前記造形材料のみで形成される領域である単一材料領域を含む前記造形物を造形し、
前記吐出ヘッドは、前記単一材料領域の形成に用いる吐出ヘッドであることを特徴とする請求項１から８のいずれかに記載の造形装置。
【請求項１０】
着色用の前記造形材料により少なくとも一部が着色された前記造形物を造形し、
前記吐出ヘッドは、着色用の前記造形材料を吐出する吐出ヘッドであることを特徴とする請求項１から８のいずれかに記載の造形装置。
【請求項１１】
前記主走査動作時において、前記制御部は、前記吐出ヘッドにおけるそれぞれの前記ノズルにより前記造形材料を吐出する位置を指定するデータである吐出位置指定データに基づき、前記吐出ヘッドにおけるそれぞれの前記ノズルに前記造形材料を吐出させ、
前記吐出位置指定データは、前記造形物の少なくとも一部に対応する部分について誤差拡散法又はディザ法を用いてハーフトーン処理を行うことで生成されたデータであり、
前記吐出量が少ない前記不良ノズルが存在する場合、前記ハーフトーン処理において、当該不良ノズルにより前記造形材料を吐出する位置を除外して、誤差拡散法又はディザ法が用いられていることを特徴とする請求項１から１０のいずれかに記載の造形装置。
【請求項１２】
前記吐出ヘッドにおけるそれぞれの前記ノズルにより前記造形材料を吐出する位置を指定するデータである吐出位置指定データを生成するデータ生成装置から前記吐出位置指定データを受け取り、
前記主走査動作時において、前記制御部は、前記吐出位置指定データに基づき、前記吐出ヘッドにおけるそれぞれの前記ノズルに、前記造形材料を吐出させ、
前記吐出量が少ない前記不良ノズルが存在する場合、
前記データ生成装置は、当該不良ノズルに造形材料を吐出させず、当該不良ノズル以外のいずれかの前記ノズルにより形成される前記ラインの前記ライン密度が前記正常時密度よりも大きくなるようにした前記吐出位置指定データである不良ノズル存在時データを生成し、
前記制御部は、前記不良ノズル存在時データに基づいてそれぞれの前記ノズルに前記造形材料を吐出させることにより、当該不良ノズル以外のいずれかの前記ノズルにより形成される前記ラインの前記ライン密度が前記正常時密度よりも大きくなるように設定することを特徴とする請求項１から１１のいずれかに記載の造形装置。
【請求項１３】
前記吐出量が少ない前記不良ノズルが存在する場合、前記造形装置が造形の動作を開始する前に、前記制御部は、前記吐出ヘッドにおいて存在している前記不良ノズルと、前記吐出位置指定データの生成時に考慮した前記不良ノズルとが同一である否かを確認することを特徴とする請求項１２に記載の造形装置。
【請求項１４】
前記制御部は、前記データ生成装置と通信することにより、前記吐出ヘッドにおいて存在している前記不良ノズルと、前記吐出位置指定データの生成時に考慮した前記不良ノズルとが同一である否かを確認することを特徴とする請求項１３に記載の造形装置。
【請求項１５】
積層造形法で立体的な造形物を造形する造形方法であって、
造形に用いる材料である造形材料をそれぞれ吐出する複数のノズルを有する吐出ヘッドに、造形中の前記造形物に対して相対的に予め設定された主走査方向へ移動しつつ前記ノズルから前記造形材料を吐出する主走査動作を行わせ、
前記吐出ヘッドは、前記主走査方向と直交する副走査方向の位置をずらして並ぶ複数の前記ノズルを有し、
一回の前記主走査動作において一つの前記ノズルから吐出する前記造形材料により形成されるドットの並びをラインと定義し、一つの前記ラインにおいて単位長さあたりに含まれる前記造形材料の量をライン密度と定義し、
一回の吐出動作において１個の前記ノズルから吐出する前記造形材料の量である吐出量が予め設定された基準の範囲内にあるノズルを正常ノズルと定義し、前記正常ノズル以外のノズルを不良ノズルと定義した場合において、
前記吐出ヘッドにおける全ての前記ノズルが前記正常ノズルである場合、それぞれの前記ノズルにより形成される前記ラインの前記ライン密度が予め設定された正常時密度になるように設定して、前記吐出ヘッドに前記主走査動作を行わせ、
前記基準の範囲よりも前記吐出量が少ない前記不良ノズルが前記吐出ヘッドにおける前記複数のノズルの中に存在する場合、少なくとも一部の回の前記主走査動作において、当該不良ノズル以外のいずれかの前記ノズルにより形成される前記ラインの前記ライン密度が前記正常時密度よりも大きくなるように設定して、前記吐出ヘッドに前記主走査動作を行わせることを特徴とする造形方法。
【請求項１６】
積層造形法で立体的な造形物を造形する造形システムであって、
造形を行う造形装置と、
前記造形装置へ供給するデータを生成するデータ生成装置と
を備え、
前記造形装置は、
造形に用いる材料である造形材料をそれぞれ吐出する複数のノズルを有する吐出ヘッドと、
造形中の前記造形物に対して相対的に予め設定された主走査方向へ移動しつつ前記ノズルから前記造形材料を吐出する主走査動作を前記吐出ヘッドに行わせる走査駆動部と、
前記吐出ヘッド及び前記走査駆動部の動作を制御する制御部と
を有し、
前記吐出ヘッドは、前記主走査方向と直交する副走査方向の位置をずらして並ぶ複数の前記ノズルを有し、
一回の前記主走査動作において一つの前記ノズルから吐出する前記造形材料により形成されるドットの並びをラインと定義し、一つの前記ラインにおいて単位長さあたりに含まれる前記造形材料の量をライン密度と定義し、
一回の吐出動作において１個の前記ノズルから吐出する前記造形材料の量である吐出量が予め設定された基準の範囲内にあるノズルを正常ノズルと定義し、前記正常ノズル以外のノズルを不良ノズルと定義した場合において、
前記吐出ヘッドにおける全ての前記ノズルが前記正常ノズルである場合、前記制御部は、それぞれの前記ノズルにより形成される前記ラインの前記ライン密度が予め設定された正常時密度になるように設定して、前記吐出ヘッドに前記主走査動作を行わせ、
前記基準の範囲よりも前記吐出量が少ない前記不良ノズルが前記吐出ヘッドにおける前記複数のノズルの中に存在する場合、前記制御部は、少なくとも一部の回の前記主走査動作において、当該不良ノズル以外のいずれかの前記ノズルにより形成される前記ラインの前記ライン密度が前記正常時密度よりも大きくなるように設定して、前記吐出ヘッドに前記主走査動作を行わせ、
前記データ生成装置は、前記吐出ヘッドにおけるそれぞれの前記ノズルにより前記造形材料を吐出する位置を指定するデータである吐出位置指定データを生成し、
前記造形装置は、前記データ生成装置から前記吐出位置指定データを受け取り、
前記主走査動作時において、前記制御部は、前記吐出位置指定データに基づき、前記吐出ヘッドにおけるそれぞれの前記ノズルに、前記造形材料を吐出させ、
前記吐出量が少ない前記不良ノズルが存在する場合、
前記データ生成装置は、当該不良ノズルに造形材料を吐出させず、当該不良ノズル以外のいずれかの前記ノズルにより形成される前記ラインの前記ライン密度が前記正常時密度よりも大きくなるようにした前記吐出位置指定データである不良ノズル存在時データを生成し、
前記制御部は、前記不良ノズル存在時データに基づいてそれぞれの前記ノズルに前記造形材料を吐出させることにより、当該不良ノズル以外のいずれかの前記ノズルにより形成される前記ラインの前記ライン密度が前記正常時密度よりも大きくなるように設定することを特徴とする造形システム。
【発明の詳細な説明】
【技術分野】
【０００１】
本発明は、造形装置、造形方法、及び造形システムに関する。
【背景技術】
【０００２】
従来、インクジェットヘッドを用いて造形物を造形する造形装置（３Ｄプリンタ）が知られている（例えば、特許文献１参照。）。このような造形装置においては、例えば、インクジェットヘッド等の吐出ヘッドから吐出する造形材料の層を複数層重ねることにより、積層造形法で造形物を造形する。
【先行技術文献】
【特許文献】
【０００３】
【特許文献１】特開２０１５−７１２８２号公報
【発明の概要】
【発明が解決しようとする課題】
【０００４】
インクジェットヘッド等の吐出ヘッドを用いて積層造形法で造形を行う場合、通常、一つの吐出ヘッドに形成されている多数のノズルから造形材料を吐出することにより、造形材料の層を形成する。しかし、このような構成を用いる場合、例えばノズルの詰まりが発生すること等により、吐出特性が正常範囲から外れた不良ノズルが発生する場合がある。そして、このような不良ノズルが発生した場合、そのままの状態で造形を行うと、高い精度での造形を行うことが困難になる場合がある。
【０００５】
ここで、不良ノズルが発生する問題は、例えば２次元の画像を印刷するインクジェットプリンタ等でも同様に発生する。そして、インクジェットプリンタにおいて、このような不良ノズルが発生すると、高精細な画像を印刷することが難しくなる。そのため、インクジェットプリンタにおいて不良ノズルが発生した場合、例えば、マルチパス方式の動作を利用して、ノズルの代替処理を行うことが一般的である。
【０００６】
これに対し、例えば造形装置で造形を行う場合にも、インクジェットプリンタでの印刷時と同様に、ノズルの代替処理を行うことも考えられる。しかし、造形装置の場合、造形材料の層の形成時に求められる事項は、必ずしもインクジェットプリンタでの印刷時と同一ではない。また、マルチパス方式の動作を利用してノズルの代替処理を行う場合、マルチパス方式のパスの設定の仕方に制限が生じるため、効率的に造形を行うことが難しくなる場合もある。そのため、造形装置においては、造形の動作により適した方法により、不良ノズルの影響を低減することが望まれる。そこで、本発明は、上記の課題を解決できる造形装置、造形方法、及び造形システムを提供することを目的とする。
【課題を解決するための手段】
【０００７】
本願の発明者は、造形装置の吐出ヘッドに不良ノズルが発生した場合の影響等について、鋭意研究を行った。また、この点に関し、造形時に特に問題となる不良ノズルの影響について、造形材料の不足によりスジ等が発生する点に着目した。より具体的に、吐出ヘッドの一部のノズルについて、吐出量が少なくなる異常（例えば、不吐出の異常等）が発生した場合、そのノズルを用いて造形を行うと、そのノズルにより造形材料を吐出すべき位置において、造形材料が不足することになる。また、その結果、例えば吐出ヘッドに主走査動作を行わせて造形材料の層を形成する場合において、造形材料の不足により生じた溝状のスジ等が造形材料の層に主走査方向へ延伸して形成されることになる。
【０００８】
また、このようなスジ等について、例えば１層の層を形成するのみであれば、影響が小さいと考えることもできる。しかし、例えば積層造形法で造形を行う場合、多数の層を重ねて形成することになる。そして、各層においてこのような造形材料の不足が生じていると、造形物の造形の精度に影響が生じるおそれがある。
【０００９】
この点について、例えばインクジェットプリンタでの印刷時と同様にノズルの代替処理を行えば、不良ノズルの影響を適切に抑えることができる。しかし、上記のように、この場合、マルチパス方式のパスの設定の仕方に制限が生じるため、効率的に造形を行うことが難しくなる場合もある。また、インクジェットプリンタでの印刷時においては、通常、形成されるインクの層の全体が、印刷される画像を構成することになる。そのため、不良ノズルの影響を抑える方法について、印刷結果における見た目への影響を十分に小さくする必要がある。また、このような必要性により、不良ノズルに対する代替処理を行う方法が採用されている。
【００１０】
これに対し、積層造形法で造形を行う場合、積層される造形材料の多くの部分は、造形物の内部の領域になる。そして、この場合、不良ノズルの影響を抑える方法について、インクジェットプリンタの場合と比べ、見た目の影響以外の点を重視することもできる。
【００１１】
そこで、本願の発明者は、不良ノズルの影響を抑える方法として、吐出量の少ない不良ノズルが発生した場合について、代替処理ではなく、不良ノズル以外のノズルの吐出量を増やすこと方法を考えた。また、このような方法を用いることで、不良ノズルの影響を適切に抑え得ることを見出した。また、更なる鋭意研究により、このような効果を得るために必要な特徴を見出し、本発明に至った。
【００１２】
上記の課題を解決するために、本発明は、積層造形法で立体的な造形物を造形する造形装置であって、造形に用いる材料である造形材料をそれぞれ吐出する複数のノズルを有する吐出ヘッドと、造形中の前記造形物に対して相対的に予め設定された主走査方向へ移動しつつ前記ノズルから前記造形材料を吐出する主走査動作を前記吐出ヘッドに行わせる走査駆動部と、前記吐出ヘッド及び前記走査駆動部の動作を制御する制御部とを備え、前記吐出ヘッドは、前記主走査方向と直交する副走査方向の位置をずらして並ぶ複数の前記ノズルを有し、一回の前記主走査動作において一つの前記ノズルから吐出する前記造形材料により形成されるドットの並びをラインと定義し、一つの前記ラインにおいて単位長さあたりに含まれる前記造形材料の量をライン密度と定義し、一回の吐出動作において１個の前記ノズルから吐出する前記造形材料の量である吐出量が予め設定された基準の範囲内にあるノズルを正常ノズルと定義し、前記正常ノズル以外のノズルを不良ノズルと定義した場合において、前記吐出ヘッドにおける全ての前記ノズルが前記正常ノズルである場合、前記制御部は、それぞれの前記ノズルにより形成される前記ラインの前記ライン密度が予め設定された正常時密度になるように設定して、前記吐出ヘッドに前記主走査動作を行わせ、前記基準の範囲よりも前記吐出量が少ない前記不良ノズルが前記吐出ヘッドにおける前記複数のノズルの中に存在する場合、前記制御部は、少なくとも一部の回の前記主走査動作において、当該不良ノズル以外のいずれかの前記ノズルにより形成される前記ラインの前記ライン密度が前記正常時密度よりも大きくなるように設定して、前記吐出ヘッドに前記主走査動作を行わせることを特徴とする。
【００１３】
このように構成した場合、例えば吐出ヘッドのいずれかのノズルが不吐出のノズル等になり、吐出量が小さくなった場合に、他のノズルから吐出する造形材料により不足分を適切に補うことができる。また、これにより、例えば、造形材料が不足したスジ等が造形材料の層に発生することを適切に防ぐことができる。そのため、このように構成すれば、例えば、複数のノズルを有する吐出ヘッドを用いて積層造形法で造形を行う場合に、不良ノズルの影響を適切に抑えることができる。また、これにより、例えば、造形物を高い精度で適切に造形できる。
【００１４】
ここで、ライン密度が正常時密度よりも大きくなるように設定するとは、例えば、ラインを形成する動作の少なくとも一部のタイミングにおいて、ノズルから吐出する造形材料の吐出量を通常時よりも大きくすることである。また、この構成において、造形装置は、造形材料の層を平坦化する平坦化ローラを更に備えることが好ましい。このように構成すれば、例えば、正常ノズルの吐出量を大きくした場合において、過剰な造形材料を適切に除去できる。また、これにより、造形材料の層を高い精度でより適切に形成できる。
【００１５】
また、吐出量が少ない不良ノズルが存在する場合、例えば、その不良ノズルの隣のノズルについて、ライン密度が正常時密度よりも大きくなるように設定することが考えられる。また、この場合、例えば、副走査方向において不良ノズルとの間に１個のノズルを挟む位置にあるノズルについて、ライン密度が正常時密度よりも大きくなるように設定すること等も考えられる。
【００１６】
また、積層造形法において積層するそれぞれの層の形成時において、マルチパス方式の動作により層の形成を行う場合、マルチパス方式の動作を考慮して、ライン密度を大きくするノズルを選択することも考えられる。より具体的に、マルチパス方式で層の形成を行う場合、吐出ヘッドにおけるノズルの副走査方向における間隔が、副走査方向における造形の解像度の整数倍になることが考えられる。そして、この場合、一つの層の中で副走査方向において隣接するラインは、異なる回の主走査動作により形成されることになる。そのため、この場合、吐出ヘッドの中で実際に不良ノズルに隣接しているノズルではなく、不良ノズルに対応するラインと隣接するラインを実際に形成するノズルについて、ライン密度が正常時密度よりも大きくなるように設定することが考えられる。
【００１７】
また、ライン密度が大きくなるように設定するノズルとしては、一つの不良ノズルに対し、複数のノズルを選択してもよい。また、この場合、例えば、副走査方向における不良ノズルの一方側及び他方側のそれぞれにおいて、複数のノズルを選択してもよい。また、ライン密度については、例えば、不良ノズルを含む複数のノズルでの平均のライン密度について、所定の範囲内になるように調整すること等が考えられる。また、この場合、不良ノズルを含む複数のノズルとして、不良ノズルを副走査方向における中心にして並ぶ複数のノズルのグループを選択することが考えられる。また、この場合、グループ内において、不良ノズル以外のノズルについて、ライン密度が大きくなるようにすることが考えられる。また、例えば、グループ内の一部のノズルのライン密度については、正常時密度よりも小さくすること等も考えられる。
【００１８】
また、平均のライン密度を算出する複数のノズルのグループについては、マルチパス方式の動作を考慮して設定することも考えられる。この場合、例えば、一つの層の中で副走査方向において連続して並ぶ複数のラインを形成する複数のノズルを含むグループを設定して、そのグループにける平均のライン密度について、所定の範囲内に設定する。
【００１９】
また、ライン密度を大きくするための設定としては、例えば、通常の動作時における最大の吐出量である正常時最大吐出量よりも大きな吐出量で造形材料を吐出させる設定を用いることも考えられる。また、このような設定については、例えば、不良ノズルの吐出特性の補償に用いるための大きなサイズのドット（補償用の大玉）を形成するための設定等を考えることもできる。
【００２０】
また、より具体的に、吐出ヘッドとして、通常の吐出のタイミングで１種類の吐出量のみが設定可能な吐出ヘッド（２値ヘッド）を用いる場合、正常時最大吐出量よりも大きな吐出量とは、この１種類の吐出量よりも大きな吐出量のことである。また、吐出ヘッドとして、複数種類の吐出量（例えば、大、中、小の吐出量）を選択可能な吐出ヘッド（多値ヘッド）を用いる場合、正常時最大吐出量よりも大きな吐出量とは、複数種類の吐出量のうちの最大の吐出量よりも大きな吐出量のことである。
【００２１】
また、この構成において、造形物としては、例えば、１種類の造形材料のみで形成される領域である単一材料領域を含む造形物を造形すること等が考えられる。そして、この場合、この構成における吐出ヘッドは、例えば、単一材料領域の形成に用いる吐出ヘッドであってよい。また、造形物としては、例えば、着色用の造形材料により少なくとも一部が着色された造形物を造形すること等も考えられる。この場合、この構成における吐出ヘッドは、着色用の造形材料を吐出する吐出ヘッドであってもよい。
【００２２】
また、主走査動作時において、制御部は、吐出ヘッドにおけるそれぞれのノズルにより造形材料を吐出する位置を指定するデータである吐出位置指定データに基づき、吐出ヘッドにおけるそれぞれのノズルに造形材料を吐出させる。また、制御部は、例えば、造形装置の外部のデータ生成装置から吐出位置指定データを受け取る。この場合、データ生成装置は、例えば、ＲＩＰ処理を行う装置である。
【００２３】
また、吐出量が少ない不良ノズルが存在する場合、データ生成装置は、例えば、不良ノズルに造形材料を吐出させず、不良ノズル以外のいずれかのノズルにより形成されるラインのライン密度が正常時密度よりも大きくなるようにした吐出位置指定データである不良ノズル存在時データを生成する。そして、造形装置の制御部は、例えば、不良ノズル存在時データに基づいてそれぞれのノズルに造形材料を吐出させることにより、それぞれのノズルに対するライン密度の設定を行う。
【００２４】
また、この場合、造形装置が造形の動作を開始する前において、制御部は、造形に使用する不良ノズル存在時データが正しいデータか否かの確認を行うことが好ましい。また、より具体的に、この場合、制御部は、例えば、データ生成装置と通信することにより、不良ノズルに関する情報の問い合わせを行い、吐出ヘッドにおいて存在している不良ノズルと、吐出位置指定データの生成時に考慮した不良ノズルとが同一である否かを確認する。また、この場合、例えば、同一であると確認できた場合にのみ造形装置に造形の動作を開始させることが考えられる。また、同一であると確認できなかった場合、データ生成装置により新たな吐出位置指定データを生成すること等も考えられる。このように構成すれば、例えば、間違った吐出位置指定データを用いて造形を行うことを適切に防ぐことができる。
【００２５】
また、吐出位置指定データとしては、例えば、造形物の少なくとも一部に対応する部分について誤差拡散法又はディザ法を用いてハーフトーン処理を行うことで生成されたデータを用いること等が考えられる。そして、この場合、ハーフトーン処理において、不良ノズルにより造形材料を吐出する位置を除外して、誤差拡散法又はディザ法を用いることが好ましい。このように構成すれば、例えば不良ノズルが存在する状態に合わせて、吐出位置指定データをより適切に生成できる。
【００２６】
また、本発明の構成として、上記と同様の特徴を有する造形方法や造形システム等を用いることも考えられる。この場合も、例えば、上記と同様の効果を得ることができる。また、この場合、造形方法について、例えば、造形物の製造方法と考えることもできる。
【発明の効果】
【００２７】
本発明によれば、例えば、ノズルを有する吐出ヘッドを用いて積層造形法で造形を行う場合に、不良ノズルの影響を適切に抑えることができる。
【図面の簡単な説明】
【００２８】
【図１】本発明の一実施形態に係る造形システム１０の一例を示す図である。図１（ａ）は、造形システム１０の構成の一例を示す。図１（ｂ）は、造形装置１２の要部の構成の一例を示す。図１（ｃ）は、ヘッド部１０２の構成の一例を示す。
【図２】本例の造形装置１２（図１参照）により造形する造形物５０について更に詳しく説明をする図である。図２（ａ）は、造形装置１２により造形する造形物５０の構成の一例を示す。図２（ｂ）は、主走査動作時にインクジェットヘッドから造形材料を吐出する様子を模式的に示す。
【図３】不良ノズルの影響について更に詳しく説明をする図である。図３（ａ）は、インクジェットヘッドにおける全てのノズルが正常ノズルである場合に主走査動作により形成されるインクのドットの並び方の一例を示す。図３（ｂ）は、インクジェットヘッドにおける一部のノズルが不良ノズルである場合に主走査動作により形成されるインクのドットの並び方の一例を示す。図３（ｃ）は、不良ノズルの影響を模式的に示す図である。
【図４】本例において不良ノズルの影響を抑える方法について更に詳しく説明をする図である。図４（ａ）は、不良ノズルがない状態で形成する複数のライン３０４を模式的に示す。図４（ｂ）は、不吐出の不良ノズルが発生した状態で形成する複数のライン３０４を模式的に示す。図４（ｃ）は、不良ノズルの影響を抑えるように周辺のライン３０４を形成した状態を模式的に示す。図４（ｄ）は、多値ヘッドを用いる場合に形成するドットのサイズの一例を示す。
【図５】本例の造形システム１０の動作の一例を示すフローチャートである。
【図６】誤差拡散法を用いて行う場合のハーフトーン処理の一例を示す。
【図７】ディザ法を用いて行う場合のハーフトーン処理の一例を示す。
【図８】閾値マトリクス変形処理について更に詳しく説明をする図である。図８（ａ）は、変形を行う前の閾値マトリクス（ディザマトリスク）の一例を示す。図８（ｂ）は、不良ノズルを考慮して行う閾値マトリクス変形処理の一例を示す。
【図９】拡散マトリクス変形処理について更に詳しく説明をする図である。図９（ａ）は、変形を行う前の拡散マトリクスの一例を示す。図９（ｂ）は、不良ノズルを考慮して行う拡散マトリクス変形処理の一例を示す。
【図１０】造形装置１２と制御ＰＣ１４との間で行う通信について更に詳しく説明をする図である。図１０（ａ）〜（ｃ）は、様々なタイミングで造形物の造形を行う場合について、造形装置１２と制御ＰＣ１４との間で行う通信の例を示す。
【発明を実施するための形態】
【００２９】
以下、本発明に係る実施形態を、図面を参照しながら説明する。図１は、本発明の一実施形態に係る造形システム１０の一例を示す。図１（ａ）は、造形システム１０の構成の一例を示す。本例において、造形システム１０は、立体的な造形物を造形する造形システムであり、造形装置１２及び制御ＰＣ１４を備える。
【００３０】
造形装置１２は、造形物の造形を実行する装置であり、制御ＰＣ１４の制御に応じて、造形物を造形する。また、より具体的に、造形装置１２は、フルカラーでの着色がされた造形物を造形可能なフルカラー造形装置であり、造形しようとする造形物を示すデータを制御ＰＣ１４から受け取り、このデータに基づいて、造形物を造形する。また、本例において、造形装置１２は、造形物を示すデータとして、造形物の断面を示すスライスデータを受け取り、スライスデータに基づき、造形物の造形を行う。
【００３１】
制御ＰＣ１４は、造形装置１２の動作を制御するコンピュータ（ホストＰＣ）である。本例において、制御ＰＣ１４は、造形装置１２に造形をさせる造形物を示すスライスデータを生成して、造形装置１２へ供給する。また、これにより、制御ＰＣ１４は、造形装置１２による造形の動作を制御する。
【００３２】
尚、本例において、スライスデータは、積層造形法において積層する各層の断面を示すデータである。また、より具体的に、スライスデータは、例えば、造形物を構成する各層の形成時に造形材料を吐出する位置を指定するデータである。この場合、造形材料を吐出する位置を指定するとは、例えば、造形装置において造形材料を吐出するインクジェットヘッドにおけるそれぞれのノズルにより造形材料を吐出する位置（吐出位置）を指定することである。また、本例において、スライスデータは、吐出位置指定データの一例である。制御ＰＣ１４は、吐出位置指定データを生成するデータ生成装置の一例である。
【００３３】
また、上記のように、本例において、造形システム１０は、複数の装置である造形装置１２及び制御ＰＣ１４により構成されている。しかし、造形システム１０の変形例において、造形システム１０は、一台の装置により構成されてもよい。この場合、例えば、制御ＰＣ１４の機能を含む一台の造形装置１２により造形システム１０を構成すること等が考えられる。
【００３４】
続いて、造形装置１２の具体的な構成について、説明をする。図１（ｂ）は、造形装置１２の要部の構成の一例を示す。本例において、造形装置１２は、立体的な造形物５０を造形する造形装置であり、ヘッド部１０２、造形台１０４、走査駆動部１０６、及び制御部１１０を有する。
【００３５】
尚、以下に説明をする点を除き、造形装置１２は、公知の造形装置と同一又は同様の構成を有してよい。より具体的に、以下に説明をする点を除き、造形装置１２は、例えば、インクジェットヘッドを用いて造形物５０の材料となる液滴を吐出することで造形を行う公知の造形装置と同一又は同様の構成を有してよい。また、造形装置１２は、図示した構成以外にも、例えば、造形物５０の造形や着色等に必要な各種構成を更に備えてよい。また、本例において、造形装置１２は、積層造形法により立体的な造形物５０を造形する造形装置（３Ｄプリンタ）である。この場合、積層造形法とは、例えば、複数の層を重ねて造形物５０を造形する方法である。造形物５０とは、例えば、立体的な三次元構造物のことである。
【００３６】
ヘッド部１０２は、造形物５０の造形に用いる造形材料を吐出する部分である。また、本例において、造形物材料としては、インクを用いる。この場合、インクとは、例えば、インクジェットヘッドから吐出する液体のことである。また、より具体的に、ヘッド部１０２は、造形材料として、複数のインクジェットヘッドから、所定の条件に応じて硬化するインクを吐出する。そして、着弾後のインクを硬化させることにより、造形物５０を構成する各層を重ねて形成して、積層造形法で造形物を造形する。また、本例では、インクとして、紫外線の照射により液体状態から硬化する紫外線硬化型インク（ＵＶインク）を用いる。
【００３７】
また、ヘッド部１０２は、造形物５０の各層の形成に用いるインクに加え、サポート層５２の材料となるインクを更に吐出する。これにより、ヘッド部１０２は、造形物５０の周囲に、必要に応じて、サポート層５２を形成する。サポート層５２とは、例えば、造形中の造形物５０の外周を囲むことで造形物５０を支持する積層構造物のことである。サポート層５２は、造形物５０の造形時において、必要に応じて形成され、造形の完了後に除去される。
【００３８】
造形台１０４は、造形中の造形物５０を支持する台状部材であり、ヘッド部１０２におけるインクジェットヘッドと対向する位置に配設され、造形中の造形物５０を上面に載置する。また、本例において、造形台１０４は、少なくとも上面が積層方向（図中のＺ方向）へ移動可能な構成を有しており、走査駆動部１０６に駆動されることにより、造形物５０の造形の進行に合わせて、少なくとも上面を移動させる。この場合、積層方向とは、例えば、積層造形法において造形の材料が積層される方向のことである。また、より具体的に、本例において、積層方向は、主走査方向（図中のＹ方向）及び副走査方向（図中のＸ方向）と直交する方向である。
【００３９】
走査駆動部１０６は、造形中の造形物５０に対して相対的に移動する走査動作をヘッド部１０２に行わせる駆動部である。この場合、造形中の造形物５０に対して相対的に移動するとは、例えば、造形台１０４に対して相対的に移動することである。また、ヘッド部１０２に走査動作を行わせるとは、例えば、ヘッド部１０２が有するインクジェットヘッドに走査動作を行わせることである。また、本例において、走査駆動部１０６は、主走査動作（Ｙ走査）、副走査動作（Ｘ走査）、及び積層方向走査（Ｚ走査）をヘッド部１０２に行わせる。
【００４０】
主走査動作とは、例えば、造形中の造形物５０に対して相対的に主走査方向へ移動しつつインクを吐出する動作のことである。本例において、走査駆動部１０６は、主走査方向における造形台１０４の位置を固定して、ヘッド部１０２の側を移動させることにより、ヘッド部１０２に主走査動作を行わせる。また、走査駆動部１０６は、例えば、主走査方向におけるヘッド部１０２の位置を固定して、例えば造形台１０４を移動させることにより、造形物５０の側を移動させてもよい。
【００４１】
副走査動作とは、例えば、主走査方向と直交する副走査方向へ造形中の造形物５０に対して相対的に移動する動作のことである。また、より具体的に、副走査動作は、例えば、予め設定された送り量だけ副走査方向へ造形台１０４に対して相対的に移動する動作である。本例において、走査駆動部１０６は、主走査動作の合間に、副走査方向におけるヘッド部１０２の位置を固定して、造形台１０４を移動させることにより、ヘッド部１０２に副走査動作を行わせる。また、走査駆動部１０６は、副走査方向における造形台１０４の位置を固定して、ヘッド部１０２を移動させることにより、ヘッド部１０２に副走査動作を行わせてもよい。
【００４２】
積層方向走査とは、例えば、積層方向へヘッド部１０２又は造形台１０４の少なくとも一方を移動させることで造形中の造形物５０に対して相対的に積層方向へヘッド部１０２を移動させる動作のことである。また、走査駆動部１０６は、造形の動作の進行に合わせてヘッド部１０２に積層方向走査を行わせることにより、積層方向において、造形中の造形物５０に対するインクジェットヘッドの相対位置を調整する。また、より具体的に、本例において、走査駆動部１０６は、積層方向におけるヘッド部１０２の位置を固定して、造形台１０４を移動させる。走査駆動部１０６は、積層方向における造形台１０４の位置を固定して、ヘッド部１０２を移動させてもよい。
【００４３】
制御部１１０は、例えば造形装置１２のＣＰＵであり、造形装置１２の各部を制御することにより、造形物５０の造形の動作を制御する。また、本例において、制御部１１０は、制御ＰＣ１４から受け取るスライスデータに基づき、造形装置１２の各部を制御する。この場合、制御部１１０は、例えば、ヘッド部１０２における各インクジェットヘッドの動作を制御することにより、造形物の造形に用いるインクを各インクジェットヘッドに吐出させる。本例によれば、造形物５０を適切に造形できる。
【００４４】
続いて、造形装置１２におけるヘッド部１０２の構成について、更に詳しく説明をする。図１（ｃ）は、ヘッド部１０２の構成の一例を示す。本例において、ヘッド部１０２は、複数のインクジェットヘッド、複数の紫外線光源２０４、及び平坦化ローラ２０６を有する。また、複数のインクジェットヘッドとして、図中に示すように、インクジェットヘッド２０２ｓ、インクジェットヘッド２０２ｍｏ、インクジェットヘッド２０２ｗ、インクジェットヘッド２０２ｙ、インクジェットヘッド２０２ｍ、インクジェットヘッド２０２ｃ、インクジェットヘッド２０２ｋ、及びインクジェットヘッド２０２ｔを有する。これらの複数のインクジェットヘッドは、吐出ヘッドの一例であり、例えば、副走査方向における位置を揃えて、主走査方向へ並べて配設される。また、それぞれのインクジェットヘッドは、インクをそれぞれ吐出する複数のノズルが所定のノズル列方向へ並ぶノズル列を有する。また、本例において、ノズル列方向は、副走査方向と平行な方向である。そのため、それぞれのインクジェットヘッドにおける複数のノズルは、ノズル列において、副走査方向における位置をずらして並ぶ。
【００４５】
また、これらのインクジェットヘッドのうち、インクジェットヘッド２０２ｓは、サポート層５２の材料を吐出するインクジェットヘッドである。サポート層５２の材料としては、例えば、サポート層用の公知の材料を好適に用いることができる。インクジェットヘッド２０２ｍｏは、造形材インク（Ｍｏインク）を吐出するインクジェットヘッドである。この場合、造形材インクとは、例えば、造形物５０の内部（内部領域）の造形に用いる造形専用のインクである。
【００４６】
尚、造形物５０の内部については、造形材インクに限らず、他の色のインクを更に用いて形成してもよい。また、例えば、造形材インクを用いずに、他の色のインク（例えば白色のインク等）のみで造形物５０の内部を形成することも考えられる。この場合、ヘッド部１０２において、インクジェットヘッド２０２ｍｏを省略してもよい。また、造形物５０の内部については、これらのインクに限らず、例えば、サポート層５２の材料以外の任意のインクを用いて形成してもよい。
【００４７】
インクジェットヘッド２０２ｗは、白色（Ｗ色）のインクを吐出するインクジェットヘッドである。本例において、白色のインクは、光反射性のインクの一例であり、例えば造形物５０において光を反射する性質の領域（光反射領域）を形成する場合に用いられる。
【００４８】
インクジェットヘッド２０２ｙ、インクジェットヘッド２０２ｍ、インクジェットヘッド２０２ｃ、インクジェットヘッド２０２ｋ（以下、インクジェットヘッド２０２ｙ〜ｋという）は、着色された造形物５０の造形時に用いられる着色用のインクジェットヘッドである。より具体的に、インクジェットヘッド２０２ｙは、イエロー色（Ｙ色）のインクを吐出する。インクジェットヘッド２０２ｍは、マゼンタ色（Ｍ色）のインクを吐出する。インクジェットヘッド２０２ｃは、シアン色（Ｃ色）のインクを吐出する。また、インクジェットヘッド２０２ｋは、ブラック色（Ｋ色）のインクを吐出する。また、本例において、ＹＭＣＫの各色は、減法混色法によるフルカラー表現に用いるプロセスカラーの一例である。また、インクジェットヘッド２０２ｔは、クリアインクを吐出するインクジェットヘッドである。クリアインクとは、例えば、無色の透明色（Ｔ）であるクリア色のインクのことである。
【００４９】
複数の紫外線光源２０４は、インクを硬化させるための光源（ＵＶ光源）であり、紫外線硬化型インクを硬化させる紫外線を発生する。また、本例において、複数の紫外線光源２０４のそれぞれは、間にインクジェットヘッドの並びを挟むように、ヘッド部１０２における主走査方向の一端側及び他端側のそれぞれに配設される。紫外線光源２０４としては、例えば、ＵＶＬＥＤ（紫外ＬＥＤ）等を好適に用いることができる。また、紫外線光源２０４として、メタルハライドランプや水銀ランプ等を用いることも考えられる。
【００５０】
平坦化ローラ２０６は、造形物５０の造形中に形成されるインクの層を平坦化するための平坦化手段である。平坦化ローラ２０６は、例えば主走査動作時において、インクの層の表面と接触して、硬化前のインクの一部を除去することにより、インクの層を平坦化する。
【００５１】
以上のような構成のヘッド部１０２を用いることにより、造形物５０を構成するインクの層を適切に形成できる。また、複数のインクの層を重ねて形成することにより、造形物５０を適切に造形できる。
【００５２】
尚、ヘッド部１０２の具体的な構成については、上記において説明をした構成に限らず、様々に変形することもできる。例えば、ヘッド部１０２は、着色用のインクジェットヘッドとして、上記以外の色用のインクジェットヘッドを更に有してもよい。また、ヘッド部１０２における複数のインクジェットヘッドの並べ方についても、様々に変形可能である。例えば、一部のインクジェットヘッドについて、他のインクジェットヘッドと副走査方向における位置をずらしてもよい。
【００５３】
続いて、本例の造形装置１２により造形する造形物５０について、更に詳しく説明をする。図２は、本例の造形装置１２（図１参照）により造形する造形物５０について更に詳しく説明をする図である。図２（ａ）は、造形装置１２により造形する造形物５０の構成の一例を示す図であり、積層方向（Ｚ方向）と直交する造形物５０の断面であるＸ−Ｙ断面の構成の一例を、サポート層５２とともに示す。また、この場合、Ｙ方向やＺ方向と垂直な造形物５０のＺ−Ｘ断面やＺ−Ｙ断面の構成も、同様の構成になる。
【００５４】
上記においても説明をしたように、本例において、造形装置１２は、例えば、インクジェットヘッド２０２ｙ〜ｋ（図１参照）等を用いて、着色された造形物５０を造形する。また、この場合、造形物５０として、少なくとも表面が着色された造形物５０を造形する。造形物５０の表面が着色されるとは、例えば、造形物５０において外部から色彩を視認できる領域の少なくとも一部が着色されることである。また、この場合、造形装置１２は、例えば図中に示すように、内部領域１５２、光反射領域１５４、着色領域１５６、及び保護領域１５８を有する造形物５０を造形する。また、必要に応じて、造形物５０の周囲等にサポート層５２を形成する。
【００５５】
内部領域１５２は、造形物５０の内部を構成する領域である。また、内部領域１５２については、例えば、造形物５０の形状を構成する領域と考えることもできる。本例において、造形装置１２は、インクジェットヘッド２０２ｍｏ（図１参照）から吐出する造形材インクを用いて、内部領域１５２を形成する。光反射領域１５４は、着色領域１５６等を介して造形物５０の外側から入射する光を反射するための光反射性の領域である。本例において、造形装置１２は、インクジェットヘッド２０２ｗ（図１参照）から吐出する白色のインクを用いて、内部領域１５２の周囲に光反射領域１５４を形成する。
【００５６】
着色領域１５６は、インクジェットヘッド２０２ｙ〜ｋから吐出する着色用のインクにより着色がされる領域である。本例において、造形装置１２は、インクジェットヘッド２０２ｙ〜ｋから吐出する着色用のインクと、インクジェットヘッド２０２ｔ（図１参照）から吐出するクリアインクとを用いて、光反射領域１５４の周囲に着色領域１５６を形成する。また、これにより、造形物５０において、着色領域１５６は、光反射領域１５４よりも外側に形成される。この場合、例えば、各位置への各色の着色用のインクの吐出量を調整することにより、様々な色を表現する。また、色の違いによって生じる着色用のインクの量（単位体積あたりの吐出量が０％〜１００％）の変化を一定の１００％に補填するために、クリアインクを用いる。このように構成すれば、例えば、着色領域１５６の各位置を所望の色で適切に着色できる。
【００５７】
保護領域１５８は、造形物５０の外面を保護するための透明な領域である。本例において、造形装置１２は、インクジェットヘッド２０２ｔから吐出するクリアインクを用いて、着色領域１５６の周囲に保護領域１５８を形成する。また、これにより、ヘッド部１０２は、透明な材料を用いて、着色領域１５６の外側を覆うように、保護領域１５８を形成する。以上のように各領域を形成することにより、表面が着色された造形物５０を適切に形成できる。
【００５８】
尚、造形物５０の構成の変形例においては、造形物５０の具体的な構成について、上記と異ならせることも考えられる。より具体的には、例えば、内部領域１５２と光反射領域１５４とを区別せずに、例えば白色のインクを用いて、光反射領域１５４の機能を兼ねた内部領域１５２を形成すること等が考えられる。また、造形物５０において、一部の領域を省略すること等も考えられる。この場合、例えば、保護領域１５８を省略すること等が考えられる。また、造形物５０において、上記以外の領域を更に形成すること等も考えられる。この場合、例えば、光反射領域１５４と着色領域１５６との間に分離領域を形成すること等が考えられる。分離領域とは、例えば、光反射領域１５４を構成する白色のインクと着色領域１５６を構成するインクとが混ざり合うことを防ぐための透明な領域（透明層）である。この場合、造形装置１２は、例えば、インクジェットヘッド２０２ｔから吐出するクリアインクを用いて、光反射領域１５４の周囲に分離領域を形成する。
【００５９】
また、上記においても説明をしたように、本例において、造形装置１２は、主走査動作によりヘッド部１０２（図１参照）の各インクジェットヘッドからインクを吐出することにより、造形物５０の各部を形成する。また、より具体的に、この場合、各インクジェットヘッドの各ノズルからインクを吐出することにより、インクの層を形成する。図２（ｂ）は、主走査動作時にインクジェットヘッドからインクを吐出する様子を模式的に示す図である。
【００６０】
尚、図２（ｂ）においては、図示の便宜上、ヘッド部１０２における一つのインクジェットヘッドを、インクジェットヘッド２０２として図示している。また、インクジェットヘッド２０２のノズル列に並ぶ複数のノズル２１２として、副走査方向に連続して並ぶ５個のノズル２１２のみを図示している。実際の構成において、インクジェットヘッド２０２は、より多くのノズル２１２（例えば、１００個以上のノズル２１２等）を有することが好ましい。
【００６１】
また、図２（ｂ）においては、図示及び説明の便宜上、インクジェットヘッド２０２として２値ヘッドを用いる場合について、ドット３０２の並び方の例を図示している。この場合、２値ヘッドとは、例えば、ドット３０２のサイズが固定されたインクジェットヘッドのことである。また、ドット３０２のサイズとは、例えば、設計上のドット３０２のサイズのことである。また、２値ヘッドについては、例えば、通常の吐出のタイミングで１種類の吐出量のみが設定可能なインクジェットヘッド等と考えることもできる。また、インクジェットヘッド２０２としては、例えば、ドット３０２のサイズが複数種類で可変なインクジェットヘッドである多値ヘッドを用いること等も考えられる。多値ヘッドを用いる場合の動作等については、後に更に詳しく説明をする。
【００６２】
また、図２（ｂ）においては、ノズル列におけるノズル２１２の間隔と造形の解像度との関係について、副走査方向における造形の解像度に対応する距離よりもノズル２１２の間隔が大きい場合について、図示をしている。より具体的に、図示した場合において、副走査方向におけるノズル２１２の間隔は、副走査方向における造形の解像度に対応する距離の２倍になっている。そのため、この場合、造形装置１２は、副走査方向におけるインクジェットヘッド２０２の位置をずらして複数回の主走査動作を行うマルチパス方式の動作により、一つのインクの層を形成する。
【００６３】
また、上記においても説明をしたように、ヘッド部１０２におけるインクジェットヘッド２０２は、主走査動作において、主走査方向へ移動しつつ、インクを吐出する。また、これにより、インクジェットヘッド２０２におけるそれぞれのノズル２１２は、主走査方向へインクのドット３０２が並ぶライン３０４を形成する。この場合、ドット３０２とは、例えば、主走査動作中の１回の吐出タイミングで一つのノズル２１２から吐出されるインクが造形物５０の被造形面に着弾することで形成されるインクのドットのことである。また、本例において、ライン３０４とは、例えば、一回の主走査動作において一つのノズル２１２から吐出するインクにより形成されるドット３０２が主走査方向へ複数個並ぶドット３０２の並びのことである。
【００６４】
このように構成した場合、例えば、各回の主走査動作において、インクジェットヘッド２０２におけるそれぞれのノズル２１２により、一つのライン３０４を形成することになる。また、これにより、各回の主走査動作において、インクジェットヘッド２０２は、複数のノズル２１２に対応する複数のライン３０４を副走査方向へ並べて形成する。また、これにより、各回の主走査動作において、インクジェットヘッド２０２は、インクの層の少なくとも一部を形成する。
【００６５】
ここで、高い精度で造形物５０を造形するためには、インクの層を構成するそれぞれのライン３０４について、予め設定された量のインクを用いて、均一に形成することが好ましい。しかし、インクジェットヘッド２０２のノズル２１２は、極めて微細な構成を有しているため、吐出量のバラツキが生じる場合がある。また、その結果、それぞれのライン３０４を構成するインクの量に対応するライン密度について、バラツキが生じる場合がある。この場合、ライン密度とは、例えば、一つのライン３０４において単位長さあたりに含まれるインクの量のことである。また、ライン３０４の単位長さとは、例えば、主走査方向における予め設定された範囲のことである。
【００６６】
また、より具体的に、この場合、例えば、インクジェットヘッド２０２におけるいずれかのノズル２１２が不良ノズル（異常ノズル）であると、そのノズル２１２により形成されるライン３０４のライン密度にずれが生じ、造形の品質に影響が生じる場合がある。この場合、不良ノズルとは、例えば、吐出特性が正常な正常ノズル以外のノズルのことである。また、正常ノズルとは、例えば、一回の吐出動作において１個のノズル２１２から吐出するインクの量（吐出量）が予め設定された基準の範囲内にあるノズルのことである。
【００６７】
尚、上記においても説明をしたように、本例において、ヘッド部１０２は、平坦化ローラ２０６（図１参照）を有する。そのため、例えば吐出量が多くなる不良ノズルの場合には、平坦化ローラ２０６で余分なインクを除去することで、造形の品質への影響を抑えることもできる。しかし、吐出量の少ない不良ノズル（例えば、インクを吐出しない不吐出のノズル等）が存在すると、そのノズルで本来ライン３０４を形成すべき位置において、インクの不足によりスジ等が発生する場合がある。また、この場合、複数のインクの層を重ねて形成することで、不良ノズルの影響が大きくなること等も考えられる。
【００６８】
図３は、不良ノズルの影響について更に詳しく説明をする図であり、いずれかのノズルが不吐出ノズルになった場合の影響を模式的に示す。尚、図３においては、図示の便宜上、Ｍ字形状のインクの層を形成する動作について、二つのドット分の細い線幅の領域へインクを吐出する動作の例を示している。しかし、実際の造形物５０の造形時には、例えば、より広い面状の領域に対してインクを形成すること等が考えられる。
【００６９】
図３（ａ）は、インクジェットヘッドにおける全てのノズルが正常ノズルである場合に主走査動作により形成されるインクのドットの並び方の一例を示す。図中において、縦横の線で構成されるグリッドは、造形の解像度に応じて設定される吐出位置である。また、この場合、各回の主走査動作において、ヘッド部１０２（図１参照）の各インクジェットヘッドは、スライスデータにおいて指定されている吐出位置に対して、インクを吐出する。また、これにより、造形の解像度に応じて設定される各位置に対し、造形に必要なインクのドットを形成する。
【００７０】
また、この場合、主走査動作時に各位置に対してインクを吐出するノズルは、制御ＰＣ１４（図１参照）において予め割り振られることで、スライスデータ内で指定されている。そのため、主走査動作時において、インクジェットヘッドの各ノズルは、スライスデータ内で指定されている吐出位置に対し、インクを吐出する。また、この場合、スライスデータは、通常、全てのノズルが正常ノズルであることを前提として、作成される。そのため、実際に全てのノズルが実際に正常であれば、図３（ａ）に示すように、所望の位置へインクを吐出することができる。
【００７１】
しかし、いずれかのノズルが不良ノズルである場合、スライスデータに従って各ノズルからインクを吐出しても、一部の位置へインクを吐出できないことになる。図３（ｂ）は、インクジェットヘッドにおける一部のノズルが不良ノズルである場合に主走査動作により形成されるインクのドットの並び方の一例を示す。また、より具体的に、図３（ｂ）では、図中にノズル２として示したノズルが不吐出の不良ノズルである場合について、主走査動作により形成されるインクのドットの並び方の一例を示している。
【００７２】
図中に示すように、いずれかのノズルが不良ノズルの場合、そのノズルに割り当てられている吐出位置へのインクの吐出が正しく行われなくなる。また、その結果、図中に示すグリッド上に正しくインクのドットを形成できなくなる。より具体的に、例えば不吐出の不良ノズルが存在する場合、そのノズルで本来ドットを形成すべき位置に、ドットが形成されないことになる。
【００７３】
図３（ｃ）は、不良ノズルの影響を模式的に示す図であり、図３（ｂ）において不良ノズルの影響によりドットが形成されていない位置について、円を描いて示している。この場合、図中に矢印で示した位置のように、ドットが形成されないことで、インクの不足による隙間が主走査方向へ延伸して、スジ（白スジ）が発生することになる。これに対し、本例においては、不良ノズルにより形成される周辺のラインのライン密度を増やすことにより、スジの影響を抑える。以下、この動作について、更に詳しく説明をする。
【００７４】
図４は、本例において不良ノズルの影響を抑える方法について更に詳しく説明をする図であり、不良ノズルの影響の抑え方の基本的な概念について、模式的に示す。図４（ａ）は、不良ノズルがない状態で形成する複数のライン３０４を模式的に示す図であり、一つのインクの層の形成時に形成される複数のライン３０４のうち、副走査方向へ連続して並ぶ三つのライン３０４の状態を模式的に示す。また、これらの三つのライン３０４は、図中にｎｚ１〜ｎｚ３として示す互いに異なる複数のノズルにより形成される。
【００７５】
図４（ｂ）は、不吐出の不良ノズルが発生した状態で形成する複数のライン３０４を模式的に示す図であり、図４（ａ）において符号ｎｚ２を付したノズルが不吐出の不良ノズルになった場合に他のノズル（ｎｚ１、ｎｚ３）により形成されるライン３０４の状態を模式的に示す。図中に示すように、この場合、不良ノズル（ｎｚ２）の位置のノズルで本来形成するはずだったドットが形成されないため、対応するライン３０４の位置に生じる隙間によりスジ３０６が形成されることになる。
【００７６】
これに対し、本例においては、不良ノズルの影響で生じる隙間について、周辺のライン３０４の形成時に吐出するインクの量を増やすことで、造形の品質への影響を低減する。図４（ｃ）は、不良ノズルの影響を抑えるように周辺のライン３０４を形成した状態を模式的に示す。図中に示すように、本例においては、不良ノズルの影響で形成されるスジ３０６の周辺のライン３０４について、ライン３０４を構成する少なくとも一部のドットを大きくすることで、スジ３０６となる隙間の少なくとも一部を埋める（塞ぐ）ように形成する。このように構成すれば、例えば、不良ノズルの影響を適切に抑えることができる。
【００７７】
ここで、本例において、周辺のライン３０４とは、例えば、不良ノズルに対応するライン３０４と副走査方向において隣接するライン３０４のことである。この場合、不良ノズルに対応するライン３０４とは、例えば、不良ノズルに位置に本来形成されるはずだったライン３０４のことである。また、より高い精度で造形を行うためには、例えば、不良ノズルに対応するライン３０４の位置のすぐ隣のライン３０４以外のラインについても、インクの量の調整を行うことが考えられる。また、周辺のライン３０４の選択の仕方については、後に更に詳しく説明をする。また、不良ノズルの影響で形成されるスジ３０６とは、例えば、周辺のライン３０４におけるラインを大きくしなければ隙間になる部分のことである。そのため、図４（ｃ）に示す状態において、スジ３０６として示した部分は、実際に隙間になっているのではなく、周辺のライン３０４のドットにより埋められていてもよい。
【００７８】
また、ライン３０４の形成時に吐出するインクの量を増やすとは、例えば、そのライン３０４のライン密度を正常時密度よりも大きくすることである。また、ライン密度について、正常時密度とは、例えば、インクジェットヘッドにおける全てのノズルが正常ノズルである場合にそれぞれのノズルにより形成されるライン３０４のライン密度のことである。
【００７９】
また、ライン密度の設定に関し、本例において、インクジェットヘッドの全てのノズルが正常ノズルである場合、造形装置１２における制御部１１０（図１参照）は、それぞれのノズルにより形成されるライン３０４のライン密度が予め設定された正常時密度になるように設定して、インクジェットヘッドに主走査動作を行わせる。また、いずれかのノズルが吐出量の少ない不良ノズルである場合、制御部１１０は、少なくとも一部の回の主走査動作において、その不良ノズル以外のいずれかのノズルにより形成されるライン３０４のライン密度について、正常時密度よりも大きくなるように設定して、インクジェットヘッドに主走査動作を行わせる。この場合、吐出量の少ない不良ノズルとは、例えば、予め設定された基準の範囲よりも吐出量が少ない不良ノズルのことである。
【００８０】
また、より具体的に、この場合、制御部１１０は、不良ノズルにより本来ライン３０４が形成される位置に対して副走査方向の両側で隣接するライン３０４について、少なくとも一部のドットを大きくして形成することにより、ライン密度を大きくする。この場合、ドットを大きくするとは、例えば、そのドットを形成するインクの吐出時におけるノズルからの吐出量を通常時よりも大きくすることである。このように構成すれば、例えば、不吐出等の不良ノズルにより一部のライン３０４に対応する位置に対するインクの吐出量が少なくなった場合にも、他のノズルから吐出するインクにより不足分を適切に補うことができる。また、これにより、例えば、インクの層において、インクが不足したスジ等が発生することを適切に抑えることができる。
【００８１】
また、上記においても説明をしたように、本例において、インクの層の形成時には、平坦化ローラ２０６（図１参照）を用いて平坦化を行う。そして、この場合、正常ノズルの吐出量を大きくすることで多くのインクが吐出されたとしても、過剰なインクを適切に除去できる。そのため、本例によれば、インクの層を高い精度でより適切に形成できる。
【００８２】
続いて、特定のライン３０４のライン密度を大きくする動作について、更に詳しく説明をする。上記のように、本例において、ライン３０４のライン密度を大きくする場合には、そのライン３０４を構成する少なくとも一部のドットについて、通常時よりも吐出量を大きくして、大きなドットを形成する。この場合、通常時とは、例えば、不良ノズルが存在しない場合のことである。また、通常時よりも吐出量を大きくして、大きなドットを形成する方法としては、例えば、不良ノズルが存在しない場合には形成しない大きなサイズのドットを形成すること等が考えられる。
【００８３】
より具体的に、本例においては、ライン密度を大きくするための設定として、通常の動作時における最大の吐出量である正常時最大吐出量よりも大きな吐出量でインクを吐出させる設定を用いる。この場合、正常時最大吐出量とは、例えば、不良ノズルが存在しない場合の最大吐出量のことである。また、図４（ａ）〜（ｃ）に示す場合においては、図４（ａ）、（ｂ）において形成されているライン３０４を構成するドットのサイズに対応する吐出量が、正常時最大吐出量になる。また、この場合、図４（ｃ）において補償用と示した大きなサイズのドット（補償用の大玉）に対応する吐出量が、正常時最大吐出量よりも大きな吐出量になる。また、この場合、インクジェットヘッドにおける全てのノズルが正常ノズルであれば、主走査動作時において、それぞれのノズルは、正常時最大吐出量以下の吐出量でインクを吐出する。また、いずれかのノズルが吐出量の少ない不良ノズルである場合、少なくとも主走査動作時のいずれかのタイミングにおいて、制御部１１０は、ライン密度を正常時密度よりも大きくするノズルに、正常時最大吐出量よりも大きな吐出量でインクを吐出させる。
【００８４】
ここで、図４（ａ）〜（ｃ）においては、インクジェットヘッドとして２値ヘッドを用いる場合について、形成されるライン３０４等を図示している。そして、この場合、正常時最大吐出量よりも大きな吐出量については、この１種類の吐出量よりも大きな吐出量と考えることもできる。これに対し、上記においても説明をしたように、インクジェットヘッドとしては、例えば、ドットのサイズが複数種類で可変な多値ヘッドを用いること等も考えられる。
【００８５】
図４（ｄ）は、多値ヘッドを用いる場合に形成するドットのサイズの一例を示す。インクジェットヘッドとして多値ヘッドを用いる場合において、インクジェットヘッドにおける全てのノズルが正常ノズルである場合、制御部１１０は、インクジェットヘッドにおけるそれぞれのノズルに、予め設定された複数種類の吐出量から選択される吐出量で、インクを吐出させる。また、この場合、正常時最大吐出量よりも大きな吐出量は、複数種類の吐出量のうちの最大の吐出量よりも大きな吐出量になる。より具体的に、この場合、不良ノズルが存在していない通常時において、例えば、図中に示すように、小（Ｓ）、中（Ｍ）、大（Ｌ）の３種類のサイズのドットに対応する３種類の吐出量を設定可能にすること等が考えられる。また、この場合、大（Ｌ）サイズのドットに対応する吐出量が、正常時最大吐出量になる。
【００８６】
また、この場合、不良ノズルに対する補償に用いる正常時最大吐出量よりも大きな吐出量として、図中に示すように、大（Ｌ）サイズのドットよりも大きな補償用のＬＬサイズのドットに対応する吐出量を用いる。そして、吐出量が少ない不良ノズルが存在する場合、少なくとも主走査動作時のいずれかのタイミングにおいて、制御部１１０は、ライン密度を正常時密度よりも大きくするノズルに、このＬＬサイズのドットに対応する吐出量でインクを吐出させる。このように構成すれば、例えば、多値ヘッドを用いる場合においても、不良ノズルの影響を適切に抑えることができる。
【００８７】
尚、ライン密度の変化のさせ方の変形例においては、必ずしも補償に用いる専用の吐出量の設定を用意せずに、多値ヘッドの動作を利用して不良ノズルの影響を抑えること等も考えられる。より具体的に、この場合、例えば、ライン密度を大きくするライン３０４について、少なくとも一部のドットの形成時に、ドットのサイズを通常時よりも大きくすること等が考えられる。この場合、通常時のドットのサイズとは、例えば、不良ノズルが存在しない場合に形成するドットのサイズのことである。また、この場合、通常時には小（Ｓ）サイズや、中（Ｍ）サイズでドットを形成する位置に対し、ワンサイズ又はそれ以上大きなサイズのドットである中（Ｍ）サイズや大（Ｌ）サイズのドットを形成すること等が考えられる。また、この場合、サイズを大きくするドットについて、複数のサイズを混在させてもよい。また、この場合、各ラインを構成するそれぞれのドットの大きさを考慮して、ドット同士のオーバーラップ量を最小にするようにドットサイズを選定すること等も考えられる。
【００８８】
続いて、制御ＰＣ１４（図１参照）でスライスデータを生成する動作等も含めて、本例における造形システム１０（図１参照）の全体の動作等について、更に詳しく説明をする。図５は、本例の造形システム１０の動作の一例を示すフローチャートである。
【００８９】
尚、図５に示した動作のうち、ステップＳ１０２及びＳ１０４の動作は、造形システム１０における制御ＰＣ１４が行う動作の一例である。また、本例において、ステップＳ１０２及びＳ１０４で制御ＰＣ１４が行う動作については、例えば造形装置１２へ供給するスライスデータを生成するＲＩＰ処理等を考えることができる。また、ステップＳ１０６及びＳ１０８の動作は、造形システム１０における造形装置１２（図１参照）が行う動作の一例である。
【００９０】
本例の造形システム１０において、造形物５０を造形する場合、先ず、制御ＰＣ１４において、造形データに基づき、造形装置１２へ供給するスライスデータを生成する。この場合、造形データとは、例えば、造形装置１２において造形しようとする造形物５０の形状や色等を示すデータである。また、造形データとしては、例えば、造形装置１２の機種に依存しない汎用の形式のデータを用いることが考えられる。
【００９１】
また、スライスデータを生成する処理において、制御ＰＣ１４は、先ず、造形データに対するレンダリングやカラーマッチング等を行う（Ｓ１０２）。この場合、制御ＰＣ１４は、例えば、外部の他のコンピュータから造形データを受け取り、これらの処理を行う。また、これにより、造形データに基づき、造形物５０の断面を示すラスタデータを生成する。また、より具体的に、この場合、制御ＰＣ１４は、例えば、造形データに基づき、例えば、造形装置１２において積層するそれぞれのインクの層の位置に対し、その位置における造形物の形状や色等を算出する。また、この算出の動作において、レンダリングやカラーマッチング等を適宜行う。また、これにより、それぞれのインクの層に対応するラスタデータを生成する。
【００９２】
尚、それぞれのインクの層に対応するラスタデータとは、例えば、それぞれのインクの層の各位置の色を示すデータである。また、このラスタデータについては、例えば、造形物の断面の形状及び色を示すデータ等と考えることもできる。また、このラスタデータについては、例えば、２値化を行う前のスライスデータ等と考えることもできる。
【００９３】
また、ステップＳ１０２の動作の後、制御ＰＣ１４は、生成したラスタデータに対してハーフトーン処理（ハーフトーニング）等を行うことにより、造形物の各断面に対応するラスタデータを２値化した２値化データを生成する（Ｓ１０４）。また、本例において、制御ＰＣ１４は、ラスタデータを２値化する処理の中で、不良ノズルの影響を抑える処理であるスジ補正処理を更に行う。
【００９４】
この場合、スジ補正処理とは、例えば、図４等を用いて説明をした方法で不良ノズルの影響を抑えることができるように２値化データを調整する処理である。また、より具体的に、本例において、制御ＰＣ１４は、不良ノズル情報及びノズル割当マトリクスを造形装置１２から受け取り、これらに基づき、スジ補正処理を行う。この場合、不良ノズル情報とは、例えば、造形装置１２のヘッド部１０２（図１参照）が有する各インクジェットヘッドに存在する不良ノズルを示す情報である。不良ノズル情報としては、例えば、吐出量の少ないノズル（不吐出のノズル）等を示す番号（ノズル番号）等を一覧形式で示すデータ等を好適に用いることができる。また、ノズル割当マトリクスとは、２値化データの各画素に割り当てられるノズルを示すマトリクスである。ノズル割当マトリクスとしては、例えば、各画素の位置とノズルの番号とを対応付けたマトリクス等を好適に用いることができる。
【００９５】
尚、２値化データの各画素とは、例えば、２値化データを構成する値の並びにおいて、造形の解像度に応じた間隔で設定されるそれぞれの立体画素に対応する各位置のことである。また、本例において、制御ＰＣ１４は、２値化データとして、ヘッド部１０２におけるそれぞれにインクジェットに対し、造形時に形成するインクのドットのサイズ毎に、２値化データを生成する。
【００９６】
より具体的に、例えば、本例においては、上記においても説明をしたように、造形時に形成するインクのドットの一部について、通常時よりも吐出量を大きくして大きなドットを形成することで、不良ノズルの影響を抑える。そのため、スジ補正処理においては、例えば、通常のサイズで形成するドット用の２値化データに加え、この大きなドットを形成する位置を示す大きなドット用の２値化データを生成する。
【００９７】
また、上記のように、本例において、２値化データの生成時には、不良ノズル情報及びノズル割当マトリクスを用いてスジ補正処理を行う。そして、この場合、生成される２値化データについては、各インクジェットヘッドにおけるそれぞれのノズルによりインクを吐出する位置を指定するデータ（吐出位置指定データ）等と考えることもできる。そのため、本例において、２値化データは、吐出位置指定データの一例になっている。また、２値化データについては、例えば、２値化を行った状態のスライスデータ等を考えることもできる。また、本例において、制御ＰＣ１４は、この２値化データを、スライスデータとして、造形装置１２へ供給する。
【００９８】
また、制御ＰＣ１４から２値化データを受け取った造形装置１２は、２値化データに基づき、ヘッド部１０２における各インクジェットヘッドの動作を制御するデータであるヘッド制御データを生成する（Ｓ１０６）。この場合、造形装置１２は、例えば、造形時に実際に行う主走査動作の設定等に基づき、２値化データで指定されているそれぞれの吐出位置について、パス分割を行う。この場合、パス分割とは、例えば、一つのインクの層の形成時に層の各位置に対して行う主走査動作の回数であるパス数に合わせて、いずれの回の主走査動作で各位置へインクを吐出するかを設定することである。
【００９９】
尚、パス数を複数にするマルチパス方式で造形を行う場合において、少なくとも一部の不良ノズルに対して代替ノズルの設定が可能な場合、パス分割において、代替ノズルの設定（ノズルリカバリ）を行ってもよい。また、この場合、代替ノズルの設定が可能な不良ノズルについては、上記において説明をしたスジ補正処理を行わなくてもよい。そのため、この場合、制御ＰＣ１４で行うステップＳ１０６の処理において、このような代替可能な不良ノズルについては、不良ノズルとして扱わないことも考えられる。このように構成すれば、例えば、代替ノズルを設定する方法を併用して用いることで、不良ノズルの影響をより適切に抑えることができる。
【０１００】
また、パス分割等を行ってヘッド制御データを生成した後、造形装置１２における制御部１１０（図１参照）は、ヘッド制御データに従ってそれぞれのインクジェットヘッドにインクを吐出させる（Ｓ１０８）。このように構成すれば、例えば、造形装置１２が受け取る２値化データにおいて指定されているそれぞれの吐出位置に対し、それぞれのインクジェットヘッドに適切にインクを吐出させることができる。また、これにより、例えば、造形物の造形を適切に行うことができる。
【０１０１】
続いて、制御ＰＣ１４において行うハーフトーン処理について、更に詳しく説明をする。本例において、制御ＰＣ１４は、２値化データを生成する動作において、造形物の少なくとも一部に対応する部分について、誤差拡散法又はディザ法を用いてハーフトーン処理を行う。また、この場合において、上記においても説明をしたように、不良ノズルの影響を抑えるための処理を更に行う。
【０１０２】
そして、この場合において、単純に誤差拡散法やディザ法を適用すると、インクを吐出させない不良ノズルも誤差拡散法やディザ法の処理の対象になることが考えられる。しかし、インクを吐出させない不良ノズルが存在する場合において、より適切にハーフトーン処理を行うためには、不良ノズルにインクを吐出させないことを考慮して処理を行う方が好ましい。そのため、本例のハーフトーン処理においては、不良ノズルによりインクを吐出する位置を除外して、誤差拡散法又はディザ法を用いる。この場合、不良ノズルによりインクを吐出する位置とは、例えば、その不良ノズルが正常ノズルであった場合にはインクを吐出する位置（本来の吐出位置）のことである。このように構成すれば、例えば不良ノズルが存在する状態に合わせて、ハーフトーン処理をより適切に行うことができる。
【０１０３】
図６及び図７は、本例において行うハーフトーン処理について更に詳しく説明をする図である。先ず、誤差拡散法を用いて行う場合のハーフトーン処理について、説明をする。
【０１０４】
図６は、誤差拡散法を用いて行う場合のハーフトーン処理の一例を示す。この場合、制御ＰＣ１４は、先ず、造形装置１２と通信することで、不良ノズル情報の取得（Ｓ２０２）と、ノズル割当マトリクスの取得（Ｓ２０４）とを行う。そして、不良ノズルに対応する画素である不良画素の隣接画素について、画素値を大きくする変更を行う（Ｓ２０６）。この場合、不良ノズルに対応する画素とは、例えば、２値化を行う前のラスタデータにおいて、不良ノズルと対応付けられる位置の画素のことである。また、ラスタデータの画素とは、例えば、造形物を構成する立体画素の位置に対応する位置の画素のことである。また、不良画素の隣接画素とは、例えば、造形物の同じ断面内で、副走査方向において不良画素と隣接する画素のことである。
【０１０５】
また、隣接画素の画素値を変更した後、制御ＰＣ１４は、量子化の処理で用いる閾値を示す閾値マトリクス（ディザマトリクス）について、不良ノズルを考慮した変形処理である閾値マトリクス変形処理を行う。閾値マトリクス変形処理については、後に更に詳しく説明をする。
【０１０６】
そして、変形をした閾値マトリクスを用いて、ラスタデータの各画素に対し、量子化を行う。この場合、量子化とは、造形に使用するドットのサイズ毎に２値化を行うことである。また、量子化の処理においては、先ず、画素の選択を行い（Ｓ２１０）、画素の入力値と閾値を算出する（Ｓ２１２）。そして、両者を比較することで量子化を行う（Ｓ２１４）。そして、誤差を拡散するための拡散マトリクスを変形する処理である拡散マトリクス変形処理（Ｓ２１６）と、誤差を分配する誤差分配処理（Ｓ２１８）とを更に行う。拡散マトリクス変形処理についても、後に更に詳しく説明をする。
【０１０７】
そして、処理を行っている画素が最後の画素（最終画素）でなければ（Ｓ２２０：Ｆａｌｓｅ）、ステップＳ２１０へ戻って次の画素を選択して、以降の動作を繰り返す。また、ステップＳ２２０において、処理を行っている画素が最終画素である場合には（Ｓ２２０：Ｔｒｕｅ）、処理を終了する。このように構成すれば、誤差拡散法を用いたハーフトーン処理を適切に行うことができる。
【０１０８】
続いて、ディザ法を用いて行う場合のハーフトーン処理について、説明をする。図７は、ディザ法を用いて行う場合のハーフトーン処理の一例を示す。この場合も、制御ＰＣ１４は、先ず、不良ノズル情報の取得（Ｓ２５２）と、ノズル割当マトリクスの取得（Ｓ２５４）とを行う。そして、閾値マトリクス変形処理（Ｓ２５６）を行い、不良ノズルに対応する画素である不良画素の隣接画素について、画素値を大きくする変更を行う（Ｓ２５８）。
【０１０９】
尚、この場合、ステップＳ２５２、Ｓ２５４、Ｓ２５６、及びＳ２５８の動作については、例えば、図６に示したステップＳ２０２、Ｓ２０４、Ｓ２０８、及びＳ２０６の動作と同一又は同様に行うことができる。また、ステップＳ２５６及びステップ２５８を行う順番については、図６におけるステップＳ２０６及びステップＳ２０８を行う順番と同様に、ステップＳ２５８の動作を先に行ってもよい。また、図６の動作において、ステップＳ２０６の動作よりも先にステップＳ２０８の動作を行ってもよい。
【０１１０】
また、ステップＳ２５８の動作を行った後、制御ＰＣ１４は、ラスタデータの各画素に対し、量子化を行う。また、量子化の処理においては、先ず、画素の選択を行い（Ｓ２６０）、ディザ法での量子化の処理を行う（Ｓ２６２）。そして、処理を行っている画素が最後の画素（最終画素）でなければ（Ｓ２６４：Ｆａｌｓｅ）、ステップＳ２６０へ戻って次の画素を選択して、以降の動作を繰り返す。また、ステップＳ２６０において、処理を行っている画素が最終画素である場合には（Ｓ２６４：Ｔｒｕｅ）、処理を終了する。このように構成すれば、ディザ法を用いたハーフトーン処理を適切に行うことができる。
【０１１１】
続いて、閾値マトリクス変形処理及び拡散マトリクス変形処理について、更に詳しく説明をする。図８及び図９は、閾値マトリクス変形処理及び拡散マトリクス変形処理について更に詳しく説明をする図であり、不良ノズルを考慮して行う閾値マトリクス変形処理及び拡散マトリクス変形処理の一例を模式的に示す。
【０１１２】
図８は、閾値マトリクス変形処理について更に詳しく説明をする図である。図８（ａ）は、変形を行う前の閾値マトリクス（ディザマトリスク）の一例を示す。図８（ｂ）は、不良ノズルを考慮して行う閾値マトリクス変形処理の一例を示す。また、図８（ｂ）においては、模式的に示したノズル列において黒く塗りつぶした円で表示しているノズルが、不良ノズルになっている。
【０１１３】
上記においても説明をしたように、本例においては、吐出量の少なくなる不良ノズルにインクを吐出させずに、造形物の造形を行う。そのため、ラスタデータや２値化データにおいて、不良ノズルに対応する不良画素が、インクのドットを形成しない画素になる。そして、本例においては、不良画素には閾値マトリクスの値を割り当てないように、閾値マトリクスの変形を行う。また、より具体的に、この場合、本来であれば不良画素に割り当てられる予定であった閾値マトリクスの値について、図８（ｂ）に示すように、次の画素へのシフトをさせる。
【０１１４】
ここで、閾値マトリクスについては、例えば、単位長さあたりに形成するドットの数や位置等を考慮して設計がされる。しかし、不良画素が存在して、本来の位置にインクのドットが形成されないことになると、マトリクスとしての連続性や位置関係が大幅に損なわれるおそれがある。これに対し、上記のように閾値マトリクスの変形を行えば、不良画素にマトリクスの値を割り当てないことにより、このような問題を適切に抑えることができる。
【０１１５】
また、上記においても説明をしたように、本例においては、拡散マトリクスについても、不良ノズルを考慮した変形を行う。図９は、拡散マトリクス変形処理について更に詳しく説明をする図である。図９（ａ）は、変形を行う前の拡散マトリクスの一例を示す。図９（ｂ）は、不良ノズルを考慮して行う拡散マトリクス変形処理の一例を示す。また、図９（ｂ）においては、模式的に示したノズル列において黒く塗りつぶした円で表示しているノズルが、不良ノズルになっている。
【０１１６】
本例においては、上記のように、不良ノズルにはインクを吐出させないように設定する。そのため、誤差分配の処理において、不良画素には誤差を分配させないように設定する。より具体的に、この場合、図９（ｂ）に示すように、不良画素を除外して、それ以外の画素に対して誤差の分配を行う。
【０１１７】
ここで、誤差拡散法においては、ある画素を量子化した際に生じる誤差について、拡散マトリクスによって、周辺の未処理の画素へ分配をする。そして、この場合、誤差を分散させていくことにより、ドットの連続性や位置関係が決まることになる。これに対し、例えば不良画素に対して誤差を分配すると、本来形成すべきドットが形成されないことで、誤差の流れの連続性が損なわれるおそれがある。これに対し、上記のように拡散マトリクス変形処理を行えば、このような問題を適切に抑えることができる。
【０１１８】
以上のように、本例によれば、例えば、閾値マトリクス変形処理及び拡散マトリクス変形処理を行うことにより、形成するドットの連続性をより適切に高めることができる。また、これにより、例えば、より高い精度で造形を行うこと等が可能になる。
【０１１９】
続いて、本例の造形システム１０において造形装置１２と制御ＰＣ１４とが連携して行う動作等について、更に詳しく説明をする。図１０は、造形装置１２と制御ＰＣ１４との間で行う通信について更に詳しく説明をする図である。図１０（ａ）〜（ｃ）は、様々なタイミングで造形物の造形を行う場合について、造形装置１２と制御ＰＣ１４との間で行う通信の例を示す。また、図１０において、ＲＩＰ又はＲＩＰ処理と示す動作は、図５に示したステップＳ１０２及びＳ１０４に対応する動作である。また、造形処理とは、図５に示したステップＳ１０６及びＳ１０８に対応する動作である
【０１２０】
上記においても説明をしたように、本例においては、制御ＰＣ１４において２値化したスライスデータ（２値化データ）を生成して、このデータに基づき、造形装置１２において造形物５０の造形を行う。また、制御ＰＣ１４におけるスライスデータの生成時には、不良ノズルを考慮したデータの処理を行う。そのため、制御ＰＣ１４では、スライスデータの生成時に、造形装置１２における不良ノズルの状態を把握する必要がある。そのため、本例においては、上記においても説明をしたように、造形装置１２と制御ＰＣ１４との間で通信を行い、不良ノズル情報及びノズル割当マトリクスを造形装置１２から制御ＰＣ１４へ伝達する。
【０１２１】
また、実際に造形物を造形する場合においては、必ずしも制御ＰＣ１４でのスライスデータの生成と造形装置１２での造形の動作とを連続的に行うのではなく、制御ＰＣ１４でスライスデータが生成された後、時間がたってから造形装置１２で造形を行うこと等も考えられる。そして、この場合、制御ＰＣ１４でのスライスデータの生成時に考慮した不良ノズルと、造形装置１２の造形時に実際に存在している不良ノズルが一致しないこと等も考えられる。
【０１２２】
例えば、制御ＰＣ１４でのスライスデータの生成時には正常であったノズルが造形装置１２での造形の実行時までに不良ノズルになること等が考えられる。また、制御ＰＣ１４でのスライスデータの生成時には不良ノズルであったノズルについて、造形の実行時までに正常ノズルに回復すること等も考えられる。そして、このような場合、スジ補正処理の対象となるノズルが変化するため、不良ノズルの影響を適切に抑えることができなくなるおそれがある。そのため、制御ＰＣ１４でのスライスデータの生成と造形装置１２での造形の動作とを連続的に行う場合以外には、その時点で存在している不良ノズルに正しく対応しているスライスデータであることを確認することが好ましい。また、この場合、必要に応じて造形装置１２から制御ＰＣ１４への問い合わせを行うことが考えられる。
【０１２３】
より具体的に、図１０（ａ）は、制御ＰＣ１４でのスライスデータの生成と造形装置１２での造形の動作とを連続的に行う場合について、造形装置１２と制御ＰＣ１４との間で行う通信の一例を示す。この場合、制御ＰＣ１４は、スライスデータを生成する処理において、造形装置１２に対し、不良ノズルがあるか否かの問い合わせを行う。また、この場合、造形装置１２は、この問い合わせに応じて、不良ノズル情報を制御ＰＣ１４へ送信する。また、制御ＰＣ１４は、更に、造形装置１２に対し、ノズルの割り当て方の問い合わせを行う。そして、造形装置１２は、この問い合わせに応じて、ノズル割当マトリクスを制御ＰＣ１４へ送信する。
【０１２４】
そして、これらの通信を行った後、制御ＰＣ１４は、不良ノズルの情報を反映して、２値化したスライスデータを生成する処理を行う。また、生成したスライスデータについて、例えば、順次造形装置１２へ送信する。また、造形装置１２は、例えば、制御ＰＣ１４から順次受け取るスライスデータに基づき、造形を行う。また、造形が完了した時点で、造形装置１２は、その旨を制御ＰＣ１４へ通知する。
【０１２５】
このように構成すれば、例えば、造形物の造形を適切に行うことができる。また、この場合、制御ＰＣ１４でのスライスデータの生成と造形装置１２での造形の動作とを連続的に行うため、スライスデータと不良ノズルとの対応付けに関する確認を行う必要はない。これに対し、制御ＰＣ１４でのスライスデータのみを先に行い、その後に別のタイミングで造形装置１２での造形を行う場合には、上記のように、スライスデータと不良ノズルとの対応付けに関する確認を行うことが好ましい。
【０１２６】
図１０（ｂ）は、制御ＰＣ１４でのスライスデータのみを先に行い、その後に別のタイミングで造形装置１２での造形を行う場合について、造形装置１２と制御ＰＣ１４との間で行う通信の一例を示す。この場合も、制御ＰＣ１４は、スライスデータを生成する処理において、造形装置１２に対し、不良ノズルがあるか否かの問い合わせと、ノズルの割り当て方の問い合わせとを行う。また、造形装置１２は、これらの問い合わせに応じて、不良ノズル情報及びノズル割当マトリクスを送信する。また、これらの通信を行った後、制御ＰＣ１４は、不良ノズルの情報を反映して、２値化したスライスデータを生成する処理を行う。
【０１２７】
また、この場合、制御ＰＣ１４でのスライスデータの生成が完了した後のいずれかのタイミングにおいて、造形装置１２は、造形の動作を開始する。そして、この場合、造形装置１２と制御ＰＣ１４との間で行う通信において、制御ＰＣ１４は、再度、不良ノズルがあるか否かの問い合わせを行う。また、造形装置１２は、この問い合わせに応じて、不良ノズル情報を制御ＰＣ１４へ送信する。
【０１２８】
そして、この場合、制御ＰＣ１４は、生成済みのスライスデータと不良ノズル情報とを比較する処理である補正ノズル比較処理を行う。また、これにより、スライスデータの生成時に考慮した不良ノズルと、不良ノズル情報に示されている不良ノズルとが一致しているか否かの確認（不良ノズルの一致の確認）を行う。
【０１２９】
そして、不良ノズルの一致が確認できれば、制御ＰＣ１４から造形装置１２へスライスデータを送信して、造形装置１２に造形を実行させる。また、不良ノズルの一致の確認において、一致していないと判断した場合、制御ＰＣ１４は、例えば、新たに取得した不良ノズル情報に基づき、新たなスライスデータを生成する。そして、この場合、新たなスライスデータを造形装置１２へ送信することにより、造形装置１２に造形を行わせる。このように構成すれば、造形時に存在している不良ノズルに合った正しいスライスデータを用いることを適切に確認できる。
【０１３０】
また、造形装置１２で行う造形については、例えば、図１０（ｃ）に示すように、過去に生成されたスライスデータを用いて、造形のみを行うこと等も考えられる。そして、この場合、図１０（ｂ）に示した動作の後半の動作のみを行うことが考えられる。この場合も、造形の開始前に不良ノズルの一致を確認することで、造形時に存在している不良ノズルに合った正しいスライスデータを用いることを適切に確認できる。
【０１３１】
ここで、本例において、不良ノズルの一致を確認する動作は、上記のとおり、造形装置１２が造形の動作を開始する前に行う確認の動作である。また、図１０（ｂ）、（ｃ）等に示した場合、具体的な確認の動作について、制御ＰＣ１４において行っている。また、この確認の動作について、造形装置１２の動作に着目した場合、造形装置１２の側においても、制御ＰＣ１４と通信することで、不良ノズルの一致を確認していると考えることができる。この場合、例えば、造形装置１２における制御部１１０（図１参照）が、制御ＰＣ１４と通信することにより、造形装置１２のヘッド部１０２（図１参照）におけるインクジェットヘッドに存在している不良ノズルと、制御ＰＣ１４でのスライスデータの生成時に考慮した不良ノズルとが同一である否かを確認する。また、本例において、不良ノズルの一致が確認できなかった場合には、上記のように、制御ＰＣ１４で新たなスライスデータを生成する。また、造形装置１２及び制御ＰＣ１４の動作の変形例においては、例えば、不良ノズルの一致が確認できなかった場合には造形の動作を開始せずに、一致が確認できた場合にのみ造形装置１２での造形を行うこと等も考えられる。
【０１３２】
また、本例において、不良ノズルを考慮して制御ＰＣ１４で生成するスライスデータは、不良ノズルを考慮して生成した吐出位置指定データである不良ノズル存在時データの一例である。また、この場合、制御ＰＣ１４は、例えば、不良ノズルにインクを吐出させず、不良ノズル以外のいずれかのノズルにより形成されるラインのライン密度が正常時密度よりも大きくなるようにした不良ノズル存在時データを生成する。また、この場合、造形装置１２における制御部１１０は、例えば、不良ノズル存在時データに基づいて各インクジェットヘッドのそれぞれのノズルにインクを吐出させることにより、不良ノズル以外のいずれかのノズルにより形成されるラインのライン密度が正常時密度よりも大きくなるように設定する。このように構成すれば、例えば、不良ノズルの影響を適切に抑えることができる。
【０１３３】
続いて、本例において行うスジ補正処理等について、補足説明等を行う。先ず、ライン密度を大きくするラインの選択の仕方等について、更に詳しく説明をする。上記においては、図４等を用いて、不良ノズル以外のノズルで形成されるラインのうち、ライン密度を大きくするラインについて、不良ノズルに対応するライン（以下、不良ラインという）の位置のすぐ隣のラインを選択する場合等について、説明をした。
【０１３４】
この点について、例えばマルチパス方式で造形を行う場合、このような隣のラインは、必ずしも不良ラインが本来形成される主走査動作と同じ回の主走査動作で形成されるわけではない。そのため、この場合、マルチパス方式の動作を考慮して、隣のラインを選択することも考えられる。
【０１３５】
より具体的に、例えば、インクジェットヘッドにおけるノズルの間隔（副走査方向における間隔）が副走査方向における造形の解像度の整数倍になっており、マルチパス方式で一つのインクの層を形成する場合、一つのインクの層の中で副走査方向において隣接するラインは、異なる回の主走査動作により形成されることになる。そして、このような構成において、吐出量が少ない不良ノズルが存在する場合、一つのインクの層を構成するラインの中で副走査方向において不良ラインと隣接するラインが形成される主走査動作時において、その隣接するラインのライン密度について、正常時密度よりも大きくなるように設定すること等が考えられる。また、この場合、例えば、インクジェットヘッドのノズル列中で不良ノズルに隣接しているノズルではなく、不良ノズルに対応するラインと隣接するラインを実際に形成するノズルについて、ライン密度が正常時密度よりも大きくなるように設定することが考えられる。このように構成すれば、例えば、一つの層の中で不良ラインと隣接するラインのライン密度を適切に大きくすることができる。また、これにより、例えば、不良ノズルの影響を適切に抑えることができる。
【０１３６】
また、不良ラインと隣接するラインについては、インクの層毎ではなく、主走査動作を単位に考えることもできる。この場合、各インクジェットヘッドのノズル列において不良ノズルと隣接するノズルで形成されるラインについて、不良ラインと隣接するラインと考えることができる。また、より具体的に、この場合、ノズル列中で副走査方向において不良ノズルと隣接するノズルにより形成されるラインのライン密度について、正常時密度よりも大きくなるように設定することが考えられる。このように構成した場合も、例えば、不良ノズルの影響を適切に抑えることができる。
【０１３７】
また、不良ノズルの影響を抑えるためには、隣接するラインに限らず、他のラインについて、ライン密度を大きくすること等も考えられる。この場合、例えば、副走査方向において不良ラインとの間に１個のラインを挟む位置にあるラインのライン密度について、正常時密度よりも大きくなるように設定すること等が考えられる。また、主走査動作を単位にラインを選択する場合、このようなラインは、例えば、副走査方向において不良ノズルとの間に１個のノズルを挟む位置にあるノズルにより形成されるラインである。
【０１３８】
また、ライン密度の調整については、例えば、予め設定された複数のラインのグループ毎に、グループ内でのライン密度の平均を調整すること等も考えられる。この場合、例えば、副走査方向における中心に不良ラインが位置する３個又は５個程度の連続するラインをグループにして、平均のライン密度を調整すること等が考えられる。
【０１３９】
また、このようにしてグループ毎にライン密度を調整する動作については、例えば、一つの不良ノズルに対して複数のノズルを選択して、対応するライン密度を変更する動作等と考えることができる。また、例えば、不良ノズルにより形成されるラインと、１個以上のいずれかの正常ノズルにより形成されるラインとを含む複数のラインにおける平均のライン密度が予め設定される範囲内になるように調整する動作等を考えることもできる。この場合、例えば、いずれかの正常ノズルにより形成されるラインのライン密度について、正常時密度よりも大きくなるように設定することが考えられる。
【０１４０】
また、この場合、不良ノズルが存在することで生じるインクの量の誤差（体積の誤差）を最小にするように、周囲のラインを構成するドットのサイズ等を決定して、ライン密度を調整することが好ましい。また、この場合、グループ内の一部のラインについて、ライン密度が少なくなるように調整すること等も考えられる。このように構成すれば、例えば、グループ内でのライン密度の平均をより柔軟に調整することができる。また、ライン密度の調整の仕方の変形例においては、例えば、吐出量が多くなる不良ノズルが存在する場合において、不良ラインの周辺のラインについて、ライン密度が小さくなるように調整すること等も考えられる。
【０１４１】
また、平均のライン密度を算出する複数のノズルのグループについては、マルチパス方式の動作を考慮して設定することも考えられる。この場合、例えば、一つのインクの層の中で副走査方向において連続して並ぶ複数のラインを形成する複数のノズルを含むグループを設定して、そのグループにける平均のライン密度について、所定の範囲内に設定する。また、上記においては、主に、不良ラインの両側（副走査方向の両側）のラインのライン密度を大きくする場合について、説明をした。しかし、ライン密度を変化させるラインについては、副走査方向における不良ラインの片側のみに選択してもよい。
【０１４２】
続いて、ライン密度の調整等について、補足説明を行う。上記においても説明をしたように、本例においては、補償用の大きなサイズのドットを含むラインを形成することで、ライン密度を大きくする。この場合において、ラインの中でサイズを大きくするドットは、必ずしも全てのドットではなく、ラインを構成するドットの一部であってもよい。また、この場合、単位面積あたりの平均のインクの量（吐出量）が所定の範囲内になるように、サイズを大きくするドットの割合を設定することが好ましい。
【０１４３】
また、ライン密度をどの程度大きくするかについては、例えば、造形の条件（使用するインク等）に合わせて調整を行うことが好ましい。この場合、例えば、予め設定されたテストパターンでの造形を行い、不良ノズルの影響を抑えることができるライン密度を適用すること等が考えられる。
【０１４４】
また、吐出量の少ない不良ノズルの影響を抑えるためには、上記において説明をした方法に限らず、何らかの方法で周辺のインクの濃度を高めること等も考えられる。また、この点に関し、ライン密度を大きくする方法について、より一般化して考えた場合、ドットサイズを大きくする方法に限らず、何らかの方法でドットの数を増やす方法等も考えられる。より具体的には、例えば、一部のノズルによるラインの形成時において、主走査方向における間隔を小さくしてドットを並べることにより、ライン密度を大きくすること等も考えられる。
【０１４５】
ここで、上記においても説明をしたように、本例において、造形装置１２は、図２に示すような様々な領域を有する造形物を造形する。この場合において、上記において説明をしたライン密度の調整等は、造形物の各部の形成時に行うことが考えられる。より具体的に、ライン密度の調整等については、例えば、造形物において、１種類のインクのみで形成される領域である単一材料領域の形成時に適用すること等が考えられる。この場合、単一材料領域とは、例えば、造形物における内部領域、光反射領域、及び保護領域等のように、１種類のインクのみで形成される領域のことである。また、この場合、ライン密度の調整の対象となるインクジェットヘッドは、このような単一材料領域用のインクを吐出するインクジェットヘッドである。
【０１４６】
このような単一材料領域用においては、１種類のインクのみを用いて大きな吐出量で形成をすることが考えられる。そのため、このような領域の形成時には、不良ノズルの影響が大きくなりやすい。一方で、このような領域の場合、不良ラインの周辺へのインクの吐出量を大きくしても、造形の品質への影響が生じ難い。そのため、このような領域においては、上記のようにライン密度を調整することで、不良ノズルの影響をより適切に抑えることができる。
【０１４７】
また、ライン密度の調整等については、造形物の着色領域のように、複数種類のインクを用いて形成する領域の形成時に適用してもよい。より具体的に、この場合、ライン密度の調整の対象となるインクジェットヘッドは、着色用のインクを吐出するインクジェットヘッドである。また、着色領域の形成時には、制御ＰＣ１４において行うハーフトーン処理等が特に重要になる。そのため、この場合、上記において説明をした閾値マトリクス変形処理及び拡散マトリクス変形処理等を行うことが特に好ましいとも考えられる。
【０１４８】
続いて、本例において得られる効果等について、補足説明を行う。上記においても説明をしたように、本例においては、不良ノズルの両隣のノズル等で形成するラインのライン密度を大きくすることで、副走査方向における不良ラインの周辺（例えば、両側）のインクの濃度を大きくする。また、これにより、例えば、不良ノズルの影響を抑えて、インクの量の不足によるスジ等が発生することを適切に防ぐことができる。
【０１４９】
また、この点について、不良ノズルの影響を抑えるためには、例えば、積層するインクの層毎にインクジェットヘッドの副走査方向における位置をずらして、同じ位置で重なるラインを層毎に違うノズルで形成すること等も考えられる。しかし、この場合、インクジェットヘッドの位置の制御が複雑になるおそれもある。また、位置をずらしたとしても、それぞれのインクの層の形成時において、スジ等が発生することになる。また、その結果、造形の品質に影響が生じるおそれもある。これに対し、本例によれば、例えば、層毎にインクジェットヘッドの副走査方向における位置をずらす制御等を行わなくても、不良ノズルの影響を適切に抑えることができる。また、これにより、例えば、より簡易な制御により、不良ノズルの影響をより適切に抑えることができる。
【産業上の利用可能性】
【０１５０】
本発明は、例えば造形装置に好適に利用できる。
【符号の説明】
【０１５１】
１０・・・造形システム、１２・・・造形装置、１４・・・制御ＰＣ、５０・・・造形物、５２・・・サポート層、１０２・・・ヘッド部、１０４・・・造形台、１０６・・・走査駆動部、１１０・・・制御部、１５２・・・内部領域、１５４・・・光反射領域、１５６・・・着色領域、１５８・・・保護領域、２０２・・・インクジェットヘッド、２０４・・・紫外線光源、２０６・・・平坦化ローラ、２１２・・・ノズル、３０２・・・ドット、３０４・・・ライン、３０６・・・スジ
【図１】
2018187902.tif 000003
【図２】
2018187902.tif 000004
【図３】
2018187902.tif 000005
【図４】
2018187902.tif 000006
【図５】
2018187902.tif 000007
【図６】
2018187902.tif 000008
【図７】
2018187902.tif 000009
【図８】
2018187902.tif 000010
【図９】
2018187902.tif 000011
【図１０】
2018187902.tif 000012